(57)【要約】【課題】単純な外形形状を有するＩＣタグにおいては、外形形状の一部で剥離が発生すると、剥離部分に加わる剥離方向への力がタグ基材を介して未剥離部に伝播してしまい剥離が進展してしまうという問題がある、あるいは貼り付け対象物にか可とう性があり運用上屈曲などの動きがあって、タグ基材の剛性が大きいと剥離部への力である反発力が大きくなり剥離が発生するという問題がある。【解決手段】少なくとも粘着層、ＩＣタグインレット及びタック層を有するＩＣタグラベルにおいて、該ＩＣタグラベルの外周部に波状の曲線部分を有することを特徴とするＩＣタグラベルであって、前記曲線部分は、直線の両側に交互に位置する点を中心とする円に外接する曲線を交互につないだ波状の曲線であることを特徴とするＩＣタグラベルである。【選択図】図１
2009230490.tif 000002
【特許請求の範囲】
【請求項１】
少なくとも粘着層、ＩＣタグインレット及びタック層を有するＩＣタグラベルにおいて、該ＩＣタグラベルの外周部に波状の曲線部分を有することを特徴とするＩＣタグラベル。
【請求項２】
前記曲線部分は、直線の両側に交互に位置する点を中心とする円に外接する曲線を交互につないだ波状の曲線であることを特徴とする請求項１記載のＩＣタグラベル。
【請求項３】
前記円に接する曲線の中心角が１８０°以上であることを特徴とする請求項１又は請求項２に記載のＩＣタグラベル。
【請求項４】
前記円に接する曲線の中心角が１８０°以下であることを特徴とする請求項１又は請求項２に記載のＩＣタグラベル。
【発明の詳細な説明】
【技術分野】
【０００１】
本発明は、被貼付体に貼付するＩＣタグラベルの接着強度の向上を図るＩＣタグラベルの形状に関する。
【背景技術】
【０００２】
ＩＣタグとは無線通信を利用してＩＣチップに保持されたデータを外部とやり取りするタグ、即ち、荷札である。この荷札は内部に制御用ＩＣ、ＩＣメモリー、アンテナ他を内蔵している。IＣメモリーはデータを電子的に保持しており、ＩＣタグは、アンテナを使い、数センチから数メートル離れた読み取り／書き込み装置と、非接触でデータ交換できるようになっている。
【０００３】
ＩＣタグのサイズは米粒大から数百ミクロンの大きさのものが開発され、厚さも数十ミクロンと相対的に薄いので種々の物品に取り付けたり、漉き込んだりして使うことが可能で用途が拡大している。小売店やコンビニ等の商品管理では、商品の仕入れ先、価格、賞味期限等のデータ、物流管理においてはコンテナ自体や梱包品にタグを取り付け、商品名、数量、行き先などのデータを書き込んでいる。この他、図書館では蔵書にＩＣタグを取り付け、貸し出し返却処理の効率化と在庫管理に加え、不正持ち出し防止にも利用されている。
【０００４】
このＩＣタグを上記物品に貼着する場合は、ＩＣ自体を直接に貼着するのではなく、通信機能を担うＩＣ及びアンテナ等の電気配線を一定の自己支持性を有する基材中に造りこんでＩＣタグインレットとし、このＩＣタグインレットをさらに保護膜で被覆し且つ取り扱いを容易とするためのＩＣタグラベルとして物品に貼着する。
【０００５】
ＩＣタグラベルの形態としては、３種類ほど開示されているが（特許文献１、図５及び図６参照）、その典型的な一例を図２に示した。これはタック紙１１／ＩＣタグインレット１３／両面テープ１４／セパレート紙１５の積層構成であり、被貼付物品へ貼着するための粘着剤（両面テープ）１４を保護するセパレート紙１５を剥離してから被貼付物品に貼着して使用する。ＩＣタグインレット１３の最表面には、化粧用兼保護用のタック紙が通常装着される。
【０００６】
また、ＩＣタグインレットの裏面全体もしくは一部に粘着剤あるいは接着剤を塗布し被貼付物品に貼り付け固定された上で使用に供されるが、タック紙をＩＣタグインレットを被覆するように延在し、外縁部の被貼付物品に触れる部分にも粘着層を設ける場合もある。ＩＣタグラベル自体は薄いラベル型からインレット基材として樹脂成型体等を使用する厚いタイプまであるが、ＩＣタグラベルの外形形状が被貼付物品に対する貼り付け性に与える影響については考慮されることがなく、外形形状としても、単純な四辺形タイプでコーナー部の曲率半径の大きなものがほとんどであった。
【特許文献１】特開２００２−３４２７２８号公報
【特許文献２】特開２００６−２０２１６９号公報
【発明の開示】
【発明が解決しようとする課題】
【０００７】
こうした単純な外形形状を有するＩＣタグラベルにあっては、ＩＣタグラベルと被貼付物品間を引き離すような剥離外力が加わり周辺部の一部に剥離が発生すると、剥離部分に加わる剥離方向への力がラベル基材（ＩＣタグインレット／タック紙部分）を介して未剥
離部に伝播し剥離が進展する結果、ＩＣタグラベルが脱落するという問題があった。
【０００８】
また別の問題は、被貼付物品に可とう性があって、使用する上で屈曲などの動きがある場合、ＩＣタグラベルの剛性が被貼付物品に較べて大きいと、ＩＣタグラベルは曲がりにくいため、９０°剥離方向への剥離力が被貼付物品とＩＣタグラベル間に作用して剥離が発生しやすくなるという問題があった。
【課題を解決するための手段】
【０００９】
本発明は、こうした状況に鑑みてなされたもので、請求項１の発明は、少なくとも粘着層、ＩＣタグインレット及びタック層を有するＩＣタグラベルにおいて、該ＩＣタグラベルの外周部に波状の曲線部分を有することを特徴とするＩＣタグラベルである。
【００１０】
請求項２の発明は、前記曲線部分は、直線の両側に交互に位置する点を中心とする円に外接する曲線をつないだ波状の曲線であることを特徴とする請求項１記載のＩＣタグラベルである。
【００１１】
請求項３の発明は、前記円に接する曲線の中心角が１８０°以上であることを特徴とする請求項１又は請求項２に記載のＩＣタグラベルである。
【００１２】
請求項４の発明は、前記円に接する曲線の中心角が１８０°以下であることを特徴とする請求項１又は請求項２に記載のＩＣタグラベルである。
【発明の効果】
【００１３】
本発明によれば、ＩＣタグラベルのサイズを一定に保ったまま、接着境界の周長を増したことで剥離強度を増大することができる。また部分的な剥離が発生した場合、剥離方向に平行に作用する剥離力が他方向にも分散する結果、剥離力がＩＣタグラベルを介して未剥離部分に伝播することが少なくなる。また、ＩＣタグラベルの構成を大きく変更しなくとも、屈曲性のある被貼付物体に対するＩＣタグラベルの追従性を高めることが可能で、その結果として界面剥離の発生が少なくなる。
【発明を実施するための最良の形態】
【００１４】
剥離強度は接着している部分の面積に依存するが、ＩＣタグラベルの面積を大きくすることは望ましいことでない。本発明は、界面剥離の初期段階にあっては、剥離強度は接着部分の周長に依存することに基づいている。
【００１５】
以下、発明の実施の形態の一例を図面１及び同２を用いて説明する。
【００１６】
ＩＣタグラベル１０に使用するインレット基材１３としては、帯状のＰＥＴ、ポリプロピレン、ポリエチレン、ポリスチレン、ナイロン等を使用し、厚みは２０〜２００μｍ程度とする。このインレット基材１３に対し、アンテナ及びＩＣチップと接続するための金属配線を形成するための金属箔１６をラミネートする。金属箔１６からアンテナ及び配線を形成する加工は、定法のフォトリソグラフィー法を利用しエッチングにて行う。ＩＣチップは一定の厚みを有するので、必要な場合にはインレット基材に凹部を形成するなどの加工を施し収容する。その後、保護層としてのタック紙１１及び裏面の両面テープ１４をラミネート接着する。最後に帯状の積層基材を断裁してＩＣタグラベル１０を得るが、外形形状は断裁用金型の形状で決まる。タック紙１１の表面には印刷により種々の情報を化粧機能も兼ねて表示することができる。
【００１７】
ＩＣタグラベル１０のほぼ直線的な外形形状を次のように波型に変形した。先ず、平面視矩形状でコーナー部分がＲ型である標準的なラベル形状（図１（ａ））については、図
１（ａ’）で示すように、（ａ）の直線各辺を、複数の短い線分に等分割し、各線分を直径とする円を考えその半円を直径分だけずらして交互につなげたタイプの波状に成型した。この場合、周長は約１．５倍になる。また、平面視円形形状のＩＣタグラベル（図１（ｂ））についても円周を等分割し、それぞれの扇状円弧両端を直径とする円を考え、上記の矩形型と同じようにして図１（ｂ’）の形状とした。
【００１８】
直線部分の波形状については、円弧以外に三角状、矩形状、楕円状と種々の変形が可能である。また、外周部分全体を変形させる必要もない。矩形状のＩＣタグラベルについては、外力による折れ曲がり方向を考慮して、変形させる辺を選択することも可能である。例えば図１（ａ）では横辺が弧を描くように上下する撓みが生じやすいので、縦辺だけを波状に整形するのが一例である。初期形状が平面視で円のように対称性の高い場合については、円周全体を波状に変形するのが望ましい。
【００１９】
波状の別の一例を同図（ｃ）に示した。これは湾曲部分に円を内接させた場合に、最大となる円周角が１８０°以上となる形状である。円の中心は直線の両側に交互に対称な位置に並んでいるものとみなすことができる。この場合（ａ）に比較して２倍以上の周長とすることも可能となる。円周角が１８０°以下についても同様に考えることができる。また中心の位置設定については、種々のバリエーションが可能である。
【００２０】
いずれもＩＣタグラベル外周を複数の曲線でつないだ形状とすることで、周長を増やし接着強度を増大するとともに、外周の方向が連続的に変わることで剥離力の剥離方向への進展を防止している。また、こうした形状とすることでＩＣタグインレットと被被貼付物品材料の追従性が向上する。さらに、波状の変形はタック紙に対しても適用することができる。さらに、中抜きを有するインレット基材に対しても、中抜き部分内周に同様な曲線形状を付与することもできる。
【図面の簡単な説明】
【００２１】
【図１】（ａ）、（ｂ）：従来型のＩＣタグラベルの外形形状の一例を示す図である。（ａ’）、（ｂ’）、（ｃ）：本発明になるＩＣタグの平面視外形形状の一例を示す図である。
【図２】ＩＣタグラベルの側断面図の一例である。
【符号の説明】
【００２２】
１０、ＩＣタグラベル
１１、タック紙
１２、粘着剤
１３、ＩＣタグインレット
１４、両面テープ
１５、セパレート紙
１６、（アンテナパターン他）を形成した金属箔
【図１】
2009230490.tif 000003
【図２】
2009230490.tif 000004